(57)【要約】【課題】収納した釣り用小物を取り出す時にこぼれ落ちが防止され、また開閉操作が容易にできる収納部を有する釣り用手袋を提供することである。【解決手段】釣り用手袋１は、掌挿通部２と指挿通部３を有し、掌挿通部２の甲部２ａ  上面には、互いに重合するようにして第２ポケット５の上に第１ポケット４が設けられている。  第１ポケット４の開口Ｋ１側の開口端部ＫＴは、折曲部ＳＫにてカバー体５ａから立ち上がり、開口端部ＫＴは、折曲部ＳＫにて折り返すことで第１ポケット４の上面に係合し閉塞状態を維持可能になっている。第１ポケット４の開口端部ＫＴ近傍に磁性体Ｊが取り付けられ収納した釣り針等の釣り用小物Ｔを吸着できるようになっている。【選択図】    図３
2010233557.tif 000002
【特許請求の範囲】
【請求項１】
甲部にポケットを設けた釣り用手袋において、前記甲部から前記ポケットの開口端部を立ち上げて、前記開口端部を折曲してポケット上面に係止可能としたことを特徴とする釣り用手袋。
【請求項２】
ポケットは、甲部の開口端部近傍に磁性体を有していることを特徴とする請求項１に記載の釣り用手袋。
【請求項３】
ポケットの磁性体を設けた部分はポケットの内方に向けて突部が形成されていることを特徴とする請求項２に記載の釣り用手袋。
【請求項４】
ポケットの開口は親指側に向かって形成されていることを特徴とする請求項１から３のいずれかに記載の釣り用手袋。
【発明の詳細な説明】
【技術分野】
【０００１】
本発明は、釣り用小物を収納できる釣り用手袋に関する。
【背景技術】
【０００２】
従来から釣りにおいては、寒さから手を守りながら釣り竿やリール操作、仕掛け直しなど釣りの操作をスムーズに行うことができるようにしたり、釣り針や魚の歯やとげ、または岩場で手をついた時の安全ために手袋が使用されている。
これらの手袋は、釣種やその用途によって餌付けや仕掛け直しがし易いよう、さらに魚の当たりを直接感じることができるように手袋から指先が出せるようになったものなどがある。
そして、釣りをしている時は、主に釣り用ベスト等に仕掛け類などの釣り用小物を収納しているが、仕掛け作り、直しなど手元で作業することが多いため、すぐにこれら小物が取り出せるように手袋に収納部を設けたものがある。
例えば特許文献１には、甲部にスライド式チャックの付いたポケットを設けた手袋が記載され、ポケットに取り外した指先の保護カバー体が収納できるようになっている。
しかし、チャック付きポケットを設けただけでは釣り用小物を取り出す時にこぼれ落ちてしまう虞があり、スライド式チャックの開閉操作が面倒であった。
【特許文献１】特開平１１−２４７００９号
【発明の概要】
【発明が解決しようとする課題】
【０００３】
解決しようとする問題点は、釣り用手袋にチャック付きポケットを設けただけでは釣り用小物を取り出す時にこぼれ落ちてしまう虞がありスライド式チャックの開閉操作が面倒であることである。
【０００４】
本発明の目的は前記欠点に鑑み、収納した釣り用小物を取り出す時にこぼれ落ちが防止され、また開閉操作が容易にできる収納部を有する釣り用手袋を提供することである。
【課題を解決するための手段】
【０００５】
本発明の請求項１は、甲部にポケットを設けた釣り用手袋において、前記甲部から前記ポケットの開口端部を立ち上げて、前記開口端部を折曲してポケット上面に係止可能としたことを要旨とするものである。
本発明の請求項２は、ポケットは、甲部の開口端部近傍に磁性体を有していることを要旨とするものである。
本発明の請求項３は、ポケットの磁性体を設けた部分はポケットの内方に向けて突部が形成されていることを要旨とするものである。
本発明の請求項４は、ポケットの開口は親指側に向かって形成されていることを要旨とするものである。
【発明の効果】
【０００６】
本発明の請求項１から３によると、ポケットはその開放端部が立ち上がっているため収納した釣り用小物を取り出す時にこぼれ落ちを防止することができる。
本発明の請求項２によると、甲部の開口端部近傍に磁性体を有しているため、磁性体に吸着されてポケット内にて開口側に移動した釣り用小物を取り出す時にこぼれ落ちが防止される。
本発明の請求項３によると、ポケットの磁性体を設けた部分はポケットの内方に向けて突部が形成されているため、ポケット内にて開口側に移動した釣り用小物は突部に当たって移動が規制されて釣り用小物を取り出す時にこぼれ落ちが防止される。
本発明の請求項４によると、ポケットの開口は親指側に向かって形成されているため釣り用小物の取り出し作業で手袋をした手を手元に寄せるとポケットの開口が釣り人側を向いて作業がし易くなる。
【産業上の利用可能性】
【０００７】
本発明は釣り用手袋全般に利用できる。
【図面の簡単な説明】
【０００８】
【図１】図１は、釣り用手袋の正面図である。
【図２】図２は、釣り用手袋のポケット部分の断面図である。
【図３】図３は、開口を開いた釣り用手袋のポケット部分の断面図である。
【発明を実施するための最良の形態】
【０００９】
本願発明を図示の実施例によって本発明を説明すると、図示した手袋は左手側の手袋で、図１は釣り用手袋の正面図、図２は釣り用手袋のポケット部分の断面図、図３は開口を開いた釣り用手袋のポケット部分の断面図である。
【００１０】
釣り用手袋１は、掌挿通部２と指挿通部３を有し、掌挿通部２は甲部２ａと平部２ｂを有し手を差し込んだ時に内部に掌が差し込まれる部分で下端側に手の挿通口２ｃが開口し、指挿通部３は内部にそれぞれの指が挿通できるように形成されている。
釣り用手袋１の掌挿通部２と指挿通部３は柔軟性を有するゴムや合成樹脂繊維のシートや布帛、合成樹脂をシート状に形成した人工皮革、天然皮革等で形成されている。
【００１１】
指挿通部３はそれぞれ親指挿通部３ａ、人差し指挿通部３ｂ、中指挿通部３ｃ、薬指挿通部３ｄ、小指挿通部３ｅを有し、このうち親指挿通部３ａ、人差し指挿通部３ｂ、中指挿通部３ｃは先端側にそれぞれ指出し穴Ｙが開口して差し込んだ指が先端から突出し釣りにおける仕掛け作りや仕掛け直し、餌付け作業がし易いようになっている。
【００１２】
釣り用手袋１の甲部２ａの上面には、互いに重合するようにして第１ポケット４と第２ポケット５が設けられている。
甲部２ａの上面の略全面に亘って甲部２ａの上面を覆うカバー体５ａがその周辺部を甲部２ａの上面に止着して設けられ内部に収納部５ｂが形成されている。
そして、第２ポケット５のカバー体５ａの上面に第１ポケット４が設けられている。
【００１３】
第２ポケット５は、甲部２ａの上面にて手の挿通部２ｃ近傍から人差し指挿通部３ｂ近傍にかけて親指挿通部３ａ側に直線的に向かう開口Ｋ２が形成されて内部の収納部５ｂに釣り用小物Ｔ等が収納でき、その開口Ｋ２は面貼着テープ等の係合部Ｓ２が設けられ甲部２ａの上面とカバー体５ａの内側にそれぞれ面貼着テープの雄、雌が設けられ、開口Ｋ２はポケット内部側で互いに係合して閉じることができるようになっている。
【００１４】
第２ポケット５の開口Ｋ２には、その開閉操作を容易にするために舌片５ｃが形成され、この舌片５ｃを摘んで上方に引き上げると第２ポケット５の開口Ｋ２が開き、離すとカバー体５ａが甲部２ａ方向に引かれるように落下して開口Ｋ２が閉じて係合部Ｓ２（面貼着テープの雄、雌）が係合するようになっている。
なお、第２ポケット５は図３のように袋に収納された重りなどの釣り用小物Ｔを収納するとよい。
【００１５】
第１ポケット４は、上側カバー４ａと下側カバー４ｂがその周辺で張り合わされて袋状に形成され内部に収納部４ｃが形成され、下側カバー４ｂ側が甲部２ａ上面のカバー体５ａの上面側に取り付けられている。
【００１６】
第１ポケット４はその一端側に開口Ｋ１が形成され袋の底にあたる他端側が甲部２ａの上面のカバー体５ａの上面側に取り付けられている。
第１ポケット４の開口Ｋ１が形成された開口端部ＫＴは、甲部２ａの上面とカバー体５ａに止着されないで上方に向かって折れ曲がる折曲部ＳＫが形成され甲部２ａの上面のカバー体５ａから上方に立ち上がっている。
【００１７】
第１ポケット４の開口端部ＫＴは、折曲部ＳＫにて上側カバー４ａと下側カバー４ｂを揃えて第１ポケット４側（上側カバー４ａ側）に折り返すことで開口Ｋ１を閉じることができ、下側カバー４ｂ側の第１ポケット４の内側と上側カバー４ａの上面に互いに係合する面貼着テープ等の係合部Ｓ１を設けて折り曲げた開口端部ＫＴは第１ポケット４の上面に係合し閉塞状態を維持可能になっている。
【００１８】
甲部２ａの第１ポケット４の開口端部ＫＴ近傍に磁性体Ｊが取り付けられている。
磁性体Ｊは柔軟性を有する樹脂磁石が用いられ、第１ポケット４の下側カバー４ｂを通じて第１ポケット４内の収納部４Ｃに収納した釣り針等の釣り用小物Ｔを吸着できるようになっている。
また、磁性体Ｊが設けられた位置に対応する第１ポケット４の内側（収納部４Ｃ側）は内側に向けて突出部４ｄが形成され、磁性体Ｊに吸着されない釣り用小物Ｔが開口Ｋ１に向けて移動しても突出部４ｄに当たって開口Ｋ１からの脱落が防止される。
第１ポケット４は磁性体Ｊまで甲部２ａに止着され、これより先端側が折曲部ＳＫとなって甲部２ａに止着しない開口端部ＫＴが形成されている。
なお、磁性体Ｊは第１ポケット４の内側の収納部４Ｃ側に取り付けて直接釣り用小物Ｔを吸着したり、直接釣り用小物がＴ当接して移動を阻止してもよい。
【００１９】
第１ポケット４を開くと開口端部ＫＴが立ち上がり開口Ｋ１は上方を向いた状態が維持される。
この状態で第１ポケット４の収納部４Ｃに収納した釣り用小物Ｔは開口Ｋ１側に移動したものは磁性体Ｊに吸着されるか、突出部４ｄに当たって止まり、折曲部ＳＫより開口Ｋ１側に移動が規制されている。
【００２０】
したがって、開口端部ＫＴが立ち上がり開口Ｋ１は上方を向いた状態で開いた状態が維持され、開口Ｋ１のすぐ内方（すぐ下方）の収納部４Ｃに磁性体Ｊに吸着されるか、突出部４ｄに当たって止まった収納物の釣り用小物Ｔが位置するためすぐに取り出すことができる。
【００２１】
なお、折曲部ＳＫは折り曲げ状態が維持されるようにプレスして癖付けされて形成されている。
また、開口Ｋ１は折曲部ＳＫにて下側カバー４ｂ側と共に上側カバー４ａ側も折り曲げられるため収納物が脱落しにくい。
【００２２】
また、第１ポケット４が取り付けられたカバー体５ａは甲部２ａを形成する材料よりも大きな伸縮性を有しているため、第１ポケット４がカバー体５ａを介して甲部２ａに設けられていることによって釣り用手袋１を付けた手を動かしてもカバー体５ａがその動きを吸収して緩和するため第１ポケット４が不用意に開くことが防止され、また、第１ポケット４に収納した釣り用小物Ｔの圧迫感が手に伝わりにくくなるため違和感がない。
【００２３】
前記のように釣り用手袋１が形成されると、第１ポケット４に収納した釣り用小物Ｔが脱落しにくく、また、取り出しも容易に行える。
【符号の説明】
【００２４】
１    釣り用手袋
４    第１ポケット
５    第２ポケット
ＳＫ  折曲部
ＫＴ  開口端部
Ｊ    磁性体
【図１】
2010233557.tif 000003
【図２】
2010233557.tif 000004
【図３】
2010233557.tif 000005